(57)【要約】【課題】  ＥＭＩシールド構造を持つ２パネル一体型ホルダを備えた表示装置を安価に得る。【解決手段】  一方の面に第１の表示パネルを保持し、他方の面に前記第１の表示パネルより小サイズの第２の表示パネルを保持する樹脂成形部品の２パネル一体型ホルダＨＬＤを備える。第１の表示パネルの周囲の少なくとも３辺を包囲して第１収納領域を画定する第１堤状リブＲＢ１と、他方の面に形成されて第２の表示パネルの周囲の少なくとも３辺を包囲して第２収納領域を画定する第２堤状リブＲＢ２とを有する。他方の面における第２収納領域を除く第１収納領域に対応した第１部分ＭＴＳ１と、第２収納領域に対応した第２部分ＭＴＳ２のそれぞれに他方の面に接して設けた導電性シート部材ＭＴＳが設けられる。第２堤状リブの一部には切欠きＣＴを有し、導電性シート部材ＭＴＳの第１部分ＭＴＳ１と第２部分ＭＴＳ２が切欠きＣＴを通して電気的に接続される。【選択図】        図５
2005099563.tif 000002
【特許請求の範囲】
【請求項１】
一方の面に第１の表示パネルを保持し、他方の面に前記第１の表示パネルより小サイズの第２の表示パネルを保持する２パネル一体型ホルダを備えた表示装置であって、
前記２パネル一体型ホルダは、前記一方の面に形成されて前記第１の表示パネルの周囲の少なくとも３辺を包囲して第１収納領域を画定する第１堤状リブと、前記他方の面に形成されて前記第２の表示パネルの周囲の少なくとも３辺を包囲して第２収納領域を画定する第２堤状リブとを有する樹脂成形部品であり、
前記他方の面における前記第２収納領域を除く前記第１収納領域に対応した第１部分と、前記第２収納領域に対応した第２部分のそれぞれに当該他方の面に接して設けた導電性シート部材が設けられ、
前記第２堤状リブの一部に切欠きを有し、前記導電性シート部材の前記第１部分と前記第２部分が前記切欠きを通して電気的に接続されていることを特徴とする表示装置。
【請求項２】
前記第２堤状リブは前記第２の表示パネルの３辺に対応した３本の堤状部からなり、前記切欠きが前記第２堤状リブの中央の堤状部に有することを特徴とする請求項１に記載の表示装置。
【請求項３】
前記切欠きに隣接する前記第１部分に補助堤状リブを有し、前記導電性シート部材に前記補助堤状リブを露呈させる開口が設けられていることを特徴とする請求項２に記載の表示装置。
【請求項４】
前記第２堤状リブは前記第２の表示パネルの３辺に対応した３本の堤状部からなり、前記切欠きが前記第２堤状リブの対向する２本の堤状部の少なくとも一つに有することを特徴とする請求項１に記載の表示装置。
【請求項５】
前記第２堤状リブは前記第２の表示パネルの３辺に対応した３本の堤状部からなり、前記切欠きが前記第２堤状リブの対向する２本の堤状部の端部に有することを特徴とする請求項１に記載の表示装置。
【請求項６】
前記導電性シート部材の前記第１部分と前記第２部分とが２箇所以上で接続されていることを特徴とする請求項１から５の何れかに記載の表示装置。
【請求項７】
一方の面に第１の表示パネルを保持し、他方の面に前記第１の表示パネルより小サイズの第２の表示パネルを保持する２パネル一体型ホルダを備えた表示装置であって、
前記２パネル一体型ホルダは、前記一方の面に形成されて前記第１の表示パネルの周囲の少なくとも３辺を包囲して第１収納領域を画定する第１堤状リブと、前記他方の面に形成されて前記第２の表示パネルの周囲の少なくとも３辺を包囲して第２収納領域を画定する第２堤状リブとを有する樹脂成形部品であり、
前記他方の面における前記第２収納領域を除く前記第１収納領域に対応した第１部分と、前記第２収納領域に対応した第２部分のそれぞれに当該他方の面に接して設けた導電性シート部材が設けられ、
前記第２堤状リブは前記第２の表示パネルの３辺に対応した３本の堤状部からなり、前記導電性シート部材は前記２パネル一体型ホルダの側面に折り曲げた折り曲げ部分を有し、前記導電性シート部材の前記第１部分と前記第２部分が前記折り曲げ部分で電気的に接続されていることを特徴とする表示装置。
【請求項８】
一方の面に第１の表示パネルを保持し、他方の面に前記第１の表示パネルより小サイズの第２の表示パネルを保持する２パネル一体型ホルダを備えた表示装置であって、
前記２パネル一体型ホルダは、前記一方の面に形成されて前記第１の表示パネルの周囲の少なくとも３辺を包囲して第１収納領域を画定する第１堤状リブと、前記他方の面に形成されて前記第２の表示パネルの周囲の少なくとも３辺を包囲して第２収納領域を画定する第２堤状リブとを有する樹脂成形部品であり、
前記他方の面における前記第２収納領域を除く前記第１収納領域に対応した第１部分と、前記第２収納領域に対応した第２部分のそれぞれに当該他方の面に接して設けた導電性シート部材が設けられ、
前記前記導電性シート部材の前記第１部分と前記第２部分の一部の間には前記第２堤状リブを乗り越えて両者を電気的に接続するブリッジを有することを特徴とする表示装置。
【請求項９】
一方の面に第１の表示パネルを保持し、他方の面に前記第１の表示パネルより小サイズの第２の表示パネルを保持する２パネル一体型ホルダを備えた表示装置であって、
前記２パネル一体型ホルダは、前記一方の面に形成されて前記第１の表示パネルの周囲の少なくとも３辺を包囲して第１収納領域を画定する第１堤状リブと、前記他方の面に形成されて前記第２の表示パネルの周囲の少なくとも３辺を包囲して第２収納領域を画定する第２堤状リブとを有する樹脂成形部品であり、
前記他方の面における前記第２収納領域を除く前記第１収納領域に対応した第１部分と、前記第２収納領域に対応した第２部分のそれぞれに当該他方の面に接して設けた導電性シート部材が設けられ、
前記第２堤状リブの一部に切欠きを有し、前記導電性シート部材の前記第１部分と前記第２部分が前記切欠きを通して電気的に接続されており、
前記樹脂成形部品の前記他方の面は、前記第２部分が前記第１部分に対して傾いた傾斜面となっており、
前記導電性シート部材には該傾斜面に適用した際の変形を吸収する打抜きを有することを特徴とする表示装置。
【請求項１０】
一方の面に第１の表示パネルを保持し、他方の面に前記第１の表示パネルより小サイズの第２の表示パネルを保持する２パネル一体型ホルダを備えた表示装置であって、
前記２パネル一体型ホルダは、前記一方の面に形成されて前記第１の表示パネルの周囲の少なくとも３辺を包囲して第１収納領域を画定する第１堤状リブと、前記他方の面に形成されて前記第２の表示パネルの周囲の少なくとも３辺を包囲して第２収納領域を画定する第２堤状リブとを有する樹脂成形部品であり、
前記他方の面における前記第２収納領域を除く前記第１収納領域に対応した第１部分と、前記第２収納領域に対応した第２部分のそれぞれに当該他方の面に接して設けた導電性シート部材が設けられ、
前記第２堤状リブの一部に切欠きを有し、前記導電性シート部材の前記第１部分と前記第２部分が前記切欠きを通して電気的に接続されており、
前記樹脂成形部品の前記他方の面は、前記第１部分と前記第２部分との間に段差を有しており、
前記導電性シート部材には該段差に適用した際の変形を吸収する打抜きを有することを特徴とする表示装置。
【発明の詳細な説明】
【技術分野】
【０００１】
本発明は、表示パネルを用いた平板型の表示装置に関するが、特に一方の面に第１の表示パネルを保持し、他方の面に前記第１の表示パネルより小サイズの第２の表示パネルを保持する２パネル一体型ホルダを備えた表示装置に好適なものである。
【背景技術】
【０００２】
ノート型コンピユータやディスプレイモニター用の高精細かつカラー表示が可能な表示装置、あるいは携帯電話機用の表示パネルとして液晶パネルを用いた液晶表示装置や、エレクトロルミネッセンス（特に、有機エレクトロルミネッセンス）素子を用いた有機エレクトロルミネッセンス表示装置（有機ＥＬ表示装置）、あるいは電界放出素子を用いた電界放出型表示装置（ＦＥＤ）等、様々な方式の平板型表示装置が既に実用化または実用化研究段階にある。
【０００３】
特に、近年の携帯電話機では、主画面と副画面の２画面を備えた表示装置を搭載するものが主流となっている。このような携帯電話機の表示装置は、副画面用の表示パネル（第２の表示パネル）は主画面の表示パネル（第１の表示パネル）よりも小サイズであることが普通である。そして、２つの表示パネルを共通のホルダの表裏に収容し一体化モジュールとして携帯電話機に実装される。このようなホルダを以下では２パネル一体型ホルダと称する。
【０００４】
図１は携帯電話機で広く採用されている２パネル一体型ホルダの構成例の説明図である。ここでは、表示パネルを液晶表示パネルとして説明するが、前記した他の表示パネルの場合も同様である。図１（ａ）は第１の表示パネルの収容面（一方の面）の平面図、図１（ｂ）は第２の表示パネルの収容面（他方の面）の平面図、図１（ｃ）は側面図を示す。この２パネル一体型ホルダは、図１（ａ）の第１パネル収容面に第１の表示パネルＰＮＬ１の周囲の少なくとも３辺を包囲して第１収納領域を画定する第１堤状リブＲＢ１が形成されている。第１の表示パネルＰＮＬ１は２枚のガラス基板の間に液晶を封止して表示面（画面領域）を構成し、表示面の外側（図１では下側）に第１の表示パネル駆動用の駆動回路チップＤＲＲ１が搭載されている。
【０００５】
また、図１（ｂ）の第２パネル収容面に第２の表示パネルＰＮＬ２の周囲の少なくとも３辺を包囲して第２収納領域を画定する第２堤状リブＲＢ２が形成されている。第２の表示パネルＰＮＬ２も２枚のガラス基板の間に液晶を封止して表示面（画面領域）を構成し、表示面の外側（図１では下側）に第２の表示パネル駆動用の駆動回路チップＤＲＲ２が搭載されている。なお、図１における参照符号ＬＧはねじ孔ＨＬで携帯電話機の本体に取り付けるための脚部である。ここで、携帯電話機では、筐体内部に収容された２枚の表示パネル、ドライバなどの電子部品、プリント回路基板、フレキシブルプリント回路基板などから発生する電磁波干渉（ＥＭＩ）をシールドするための接地された導電性のシールドを有することが要求される。そのため、現在では、以下の図２、図３で説明するようなものが用いられている。
【０００６】
図２は２パネル一体型ホルダの一例の説明図であり、マグネシウムダイキャストで成形した２パネル一体型ホルダの構成例の説明図である。図２（ａ）は第２パネル収容面の平面図、図２（ｂ）は脚部ＬＧ側の側面図、図２（ｃ）は側面図である。３辺の堤状リブからなる第２堤状リブＲＢ２で区画された第２収容領域ＡＲ２に第２の表示パネルＰＮＬ２が収容される。また、図２（ｄ）は第１パネル収容面の平面図で、３辺の堤状リブからなる第１堤状リブＲＢ１で区画された第１収容領域ＡＲ１に第１の表示パネルＰＮＬ１が収容される。このようなマグネシウムダイキャストで成形した２パネル一体型ホルダは、それ自体が導電性を有することから、これを接地することによりＥＭＩシールドの機能を果たすことができる。しかし、マグネシウムダイキャスト製品は高価であり、携帯電話機などの適用機器のコスト削減を阻害する要因の一つとなっている。この２パネル一体型ホルダを次に説明するような樹脂モールドで製作すれば低コスト化を達成できる。
【０００７】
図３は２パネル一体型ホルダを樹脂モールドで製作した例を説明するための携帯電話機の構造説明図である。携帯電話機は本体部筺体ＭＢと表示部筺体ＤＢからなる折り畳み型である。本体部筺体ＭＢには送受信回路やデータ処理回路を内蔵し、表面にキーボードＫＢや機能操作ボタンＭＰが設けられている。表示部筺体ＤＢの一方の面（内側面）と他方の面（外側面）にはそれぞれ第１の表示パネルと第２の表示パネルが収納されるが、ここでは両表示パネルを搭載しない状態として、それらを収容する第１収容領域ＡＲ１、第２収容領域ＡＲ２を示す。第１収容領域ＡＲ１の下側（２つの脚部ＬＧの間）には表示には必須ではない部品を含む筐体側のプリント回路基板ＰＣＢが実装される。
【０００８】
この２パネル一体型ホルダＨＬＤは全体を樹脂モールド（樹脂成形）ＭＬＤとしたもので、携帯電話機本体（筺体）内面に導電層ＣＯＮを設けることで前記した導電性を付与している。表示部筺体ＤＢの内側に設ける導電層ＣＯＮはメッキ、塗布、その他の適宜の成膜方法で形成されるが、ここではメッキとした。この導電層ＣＯＮは、筐体側の回路基板ＰＣＢと接地線ＧＤで接地され、シールド効果を持たせている。なお、この２パネル一体型ホルダＨＬＤでは、第２収容領域を区画する堤状リブＲＢ２を表示部筺体ＤＢの内側に当接させることで当該表示部筺体ＤＢにかかる荷重を支えている。
【０００９】
なお、この種の表示装置に関連したホルダを開示したものとしては、例えば特許文献１を挙げることができる。
【特許文献１】特開２００３−２４１１７０号公報
【発明の開示】
【発明が解決しようとする課題】
【００１０】
図２で説明した２パネル一体型ホルダＨＬＤは、導電性を持ち、機械的強度を確保して軽量化するためにマグネシウム金属材をダイキャスト加工したもので、全体として導電性を有するものとなっている。しかし、マグネシウム金属材をダイキャスト加工したこのような２パネル一体型ホルダは、材料費や加工費が高価であり、携帯電話機のコスト低下を阻害する一因となっている。
【００１１】
また、図３で説明した樹脂モールドによる２パネル一体型ホルダでは、携帯電話機本体（筺体）内面に導電層ＣＯＮを設ける必要がある。しかし、表示装置の製造所が携帯電話機の組み立て製造所に対して筐体側への導電性付与の処理を要求することは難しい。言い換えれば、表示装置自体でシールド構造を有していることが重要である。さらに、第２の表示パネルＰＮＬ２を筐体から露出させる必要があるため、この部分には導電層ＣＯＮを形成することができず、シールドが不十分となる。
【００１２】
本発明の目的は、ＥＭＩシールド構造を持つ２パネル一体型ホルダを備えた表示装置を安価に得ることにある。
【課題を解決するための手段】
【００１３】
本発明の表示装置は、一方の面に第１の表示パネルを保持し、他方の面に前記第１の表示パネルより小サイズの第２の表示パネルを保持する２パネル一体型ホルダを備える。２パネル一体型ホルダは樹脂成形部品（樹脂モールド）であり、上記一方の面に形成されて第１の表示パネルの周囲の少なくとも３辺を包囲して第１収納領域を画定する第１堤状リブと、上記他方の面に形成されて第２の表示パネルの周囲の少なくとも３辺を包囲して第２収納領域を画定する第２堤状リブとを有する。
【００１４】
そして、上記他方の面における第２収納領域を除く第１収納領域に対応した第１部分と、第２収納領域に対応した第２部分のそれぞれに当該他方の面に接して設けた導電性シート部材が設けられており、上記第２堤状リブの一部には切欠きを有し、上記導電性シート部材の上記第１部分と第２部分がこの切欠きを通して電気的に接続されている点に特徴を有する構成とされる。
【００１５】
また、本発明は、上記第２堤状リブは上記第２の表示パネルの３辺に対応した３本の堤状部からなり、上記切欠きが第２堤状リブの中央の堤状部に設けられている点に特徴を有する構成とすることができる。
【００１６】
また、本発明は、上記切欠きに隣接する上記第１部分に補助堤状リブを設け、上記導電性シート部材にこの補助堤状リブを露呈させる開口を設けた点に特徴を有する構成とすることができる。
【００１７】
また、本発明は、上記切欠きを上記第２堤状リブの対向する２本の堤状部の少なくとも一つに有する点に特徴を有する構成とすることができる。
【００１８】
また、本発明は、上記切欠きを前記第２堤状リブの対向する２本の堤状部の端部に有する点に特徴を有する構成とすることができる。
【００１９】
また、本発明は、上記導電性シート部材の上記第１部分と上記第２部分とが２箇所以上で接続されている点に特徴を有する構成とすることができる。
【００２０】
また、本発明は、上記導電性シート部材に上記２パネル一体型ホルダの側面で折り曲げた折り曲げ部分を有し、導電性シート部材の上記第１部分と第２部分がこの折り曲げ部分で電気的に接続されている点に特徴を有する構成とすることができる。
【００２１】
また、本発明は、上記導電性シート部材の上記第１部分と第２部分の一部の間に、上記第２堤状リブを乗り越えて両者を電気的に接続するブリッジを有する点に特徴を有する構成とすることができる。
【００２２】
また、本発明は、上記樹脂成形部品の上記他方の面は、上記第２部分が上記第１部分に対して傾いた傾斜面となっており、上記導電性シート部材には該傾斜面に適用した際の変形を吸収する打抜きを有する点に特徴を有する構成とすることができる。
【００２３】
また、本発明は、上記樹脂成形部品の上記他方の面は、上記第１部分と上記第２部分との間に段差を有しており、上記導電性シート部材には該段差に適用した際の変形を吸収する打抜きを有する点に特徴を有する構成とすることができる。
【発明の効果】
【００２４】
本発明によれば、ＥＭＩシールド構造を持つ２パネル一体型ホルダを備えた表示装置を安価に得ることができる。
【００２５】
なお、本発明の構成は、上記の構成および後述する実施例の構成に限定されるものではなく、本発明の技術思想を逸脱することなく種々の変更が可能である。
【発明を実施するための最良の形態】
【００２６】
以下、本発明の表示装置の実施の形態について、図面を参照した実施例により詳細に説明する。なお、以下の実施例では、本発明の表示装置を液晶表示装置を例として説明するが、有機ＥＬ表示装置やＦＥＤ等の他の表示装置を用いた場合にも適用できることは言うまでもない。
【実施例１】
【００２７】
図４は本発明の実施例１を説明する携帯電話機の構造図である。この携帯電話機は図３に示したものと同様に、本体部筺体ＭＢと表示部筺体ＤＢからなる折り畳み型である。本体部筺体ＭＢには送受信回路やデータ処理回路を内蔵し、表面にキーボードＫＢや機能操作ボタンＭＰが設けられている。表示部筺体ＤＢには２パネル一体型ホルダＨＬＤが設置されている。この２パネル一体型ホルダＨＬＤの一方の面（内側面＝正面側）と他方の面（外側面＝背面側）にはそれぞれ第１の表示パネルと第２の表示パネルが収納される。図４は両表示パネルを搭載しない状態として、それらを収容する第１収容領域ＡＲ１、第２収容領域ＡＲ２を示す。第１収容領域ＡＲ１の下側（２つの脚部ＬＧの間）にはプリント回路基板ＰＣＢが実装されている。
【００２８】
この２パネル一体型ホルダＨＬＤは、樹脂モールドＭＤＬと導電性シートＭＴＳを組み合わせたものであり、樹脂モールドＭＬＤの第１の表示パネル収容面側である正面（一方の面）の背面（他方の面）に図５で後述するような導電性シートＭＴＳを設けている。本実施例では、筐体側の回路基板ＰＣＢから接地線ＧＤを介して導電性シートＭＴＳに接続されている。これによって、導電性シートＭＴＳは接地され、ＥＭＩシールドとして機能する。従って、図３のように携帯電話機本体内面に導電層ＣＯＮを設けなくても良い。他の構成は図３と同様なので重複説明はしない。
【００２９】
図５は図４における２パネル一体型ホルダと導電性シートの構造例を説明する斜視図である。図５においては、２パネル一体型ホルダＨＬＤの正面を下にし、背面を上にして示してある。２パネル一体型ホルダＨＬＤの正面すなわち第１の表示パネル収容面側の周囲には第１堤状リブＲＢ１が設けられている。この第１堤状リブＲＢ１は、本実施例では脚部ＬＧの形成辺と隣接する２つの対向辺の全域と、該脚部ＬＧの形成辺とは反対側の辺の上記２つの対向辺と接する隅部に形成されている。脚部ＬＧの形成辺とは反対側の辺の第１堤状リブＲＢ１の欠如部分は第１の表示パネルに接続するフレキシブルプリント基板の引き出し部分に対応する。なお、このフレキシブルプリント基板の取り付け形態によってはこの辺の全てにも第１堤状リブＲＢ１を形成してもよい。
【００３０】
２パネル一体型ホルダＨＬＤの背面すなわち第２の表示パネル収容面側の周囲には第２堤状リブＲＢ２が設けられている。この第２堤状リブＲＢ２は、本実施例では脚部ＬＧの形成辺と隣接する２つの対向辺の全域と、該脚部ＬＧの形成辺とは反対側の辺とに略コ字状となるように形成されている。そして、脚部ＬＧの形成辺とは反対側の辺の中央部には切欠きＣＴを有する。
【００３１】
この導電性シートＭＴＳはアルミニウムやステンレス等を好適とする金属の薄板からなり、２パネル一体型ホルダＨＬＤの第２の表示パネル収容領域を画定する第２堤状リブＲＢ２に相当する位置に欠如部ＤＩＴが形成されている。樹脂モールドＭＬＤの第２堤状リブＲＢ２が形成されている側の面（他方の面）は、第２堤状リブＲＢ２に囲まれた第２の表示パネルの収納領域である第２部分と、それ以外の第１部分とに分けられる。導電性シートＭＴＳは、第１部分に位置する第１の導電性シート部ＭＴＳ１と第２部分に位置する第２の導電性シート部ＭＴＳ２から構成されることになる。欠如部ＤＩＴは、２パネル一体型ホルダＨＬＤの第２堤状リブＲＢ２に形成されている切欠きＣＴを通して第１の導電性シート部ＭＴＳ１と第２の導電性シート部ＭＴＳ２を橋絡する連結部（ブリッジ）ＢＧで分離されている。すなわち、第１の導電性シート部ＭＴＳ１と第２の導電性シート部ＭＴＳ２はブリッジＢＧを介して電気的に導通されている。これによって、第１の導電性シート部ＭＴＳ１と第２の導電性シート部ＭＴＳ２のいずれか一方がフローティング状態になることが回避される。
【００３２】
尚、導電性シートＭＴＳをこのような形状に加工するのは打ち抜き加工で容易に加工できる。そして、導電性シートＭＴＳは一体になっているので取り扱いや樹脂モールドＭＬＤへの組立が容易である。
【００３３】
図６は図５に示した２パネル一体型ホルダと導電性シートＭＴＳを組み合わせて一体化した状態の説明図であり、図６（ａ）は第２の表示パネルの収容領域側から見た平面図、図６（ｂ）は図６（ａ）を脚部ＬＧ側から見た側面図である。図６に示されたように、導電性シートＭＴＳの第１の導電性シート部ＭＴＳ１は第２堤状リブＲＢ２の外側に位置し、第２の導電性シート部ＭＴＳ２は第２堤状リブＲＢ２の内側に位置するように樹脂モールドＭＬＤに張り合わせられる。この張り合わせは、単に両者が接した状態とするが、必要に応じて接着剤等で固定してもよい。
【００３４】
図６から明らかなように、第１の導電性シート部ＭＴＳ１と第２の導電性シート部ＭＴＳ２はブリッジＢＧで電気的に接続されて、同電位を保持するようになっている。したがって、導電性シートＭＴＳの何れか１箇所を接地すれば、全体にＥＭＩシールド効果を付与することができる。この接地の方法としては、本実施例では筐体側のプリント回路基板ＰＣＢと第１の導電性シート部ＭＴＳ１とを接地線ＧＤを介して接続している。但し、これに限られず、表示パネルやフレキシブル回路基板を利用して接地を行っても良い。
【００３５】
このように、本実施例によれば、導電性シートＭＴＳを２パネル一体型ホルダＨＬＤに取り付けることにより、安価にＥＭＩシールドの機能を備えることができ、例えば携帯電話機の組み立て製造所で前記図３で説明したような筐体側への導電性付与作業が必要なくなる。尚、導電性シートＭＴＳを用いず、メッキなどの処理によって樹脂モールドＭＬＤに導電性を付与することも可能であるが、導電性シートＭＴＳを用いた方がより安価に製造できる。
【００３６】
尚、第２堤状リブＲＢ２の形状や、そこに形成されている切欠きＣＴの位置及び数、導電性シートＭＴＳの形状や、ブリッジＣＴの位置及び数は、適宜変更が可能である。
【実施例２】
【００３７】
図７は本発明の実施例２を説明する図６と同様の２パネル一体型ホルダと導電性シートＭＴＳを組み合わせて一体化した状態の説明図であり、図７（ａ）は第２の表示パネルの収容領域側から見た平面図、図７（ｂ）は図７（ａ）を脚部ＬＧ側から見た側面図である。図６の実施例では、第２の堤状リブＲＢ２の一部に切欠きを設けたため、第２の堤状リブＲＢ２が図４（ｂ）で説明したように携帯電話機の表示部ＤＢに当接することで得られている機械的強度が低下する。本実施例では、２パネル一体型ホルダＨＬＤの第１の導電性シート部ＭＴＳ１設置側に、当該切欠きに近接して第３のリブＲＢ３を形成し、導電性シートＭＴＳには、この第３のリブＲＢ３に対応する位置に開口ＯＰを形成して強度低下を補償している。
【実施例３】
【００３８】
図８は本発明の実施例３を説明する２パネル一体型ホルダと導電性シートＭＴＳを組み合わせて一体化した状態の説明図であり、図８（ａ）は第２の表示パネルの収容領域側から見た平面図、図８（ｂ）は図８（ａ）を脚部ＬＧを形成した辺と隣接する辺側から見た側面図である。本実施例は、図５または図６における第２の堤状リブＲＢ２に設ける切欠きを対向する２辺のそれぞれに形成したものである。したがって、第１の導電性シート部ＭＴＳ１と第２の導電性シート部ＭＴＳ２は二箇所の切欠きを通るブリッジＢＧで接続されて２パネル一体型ホルダＭＬＤに設けられる。
【００３９】
本実施例によれば、第１の導電性シート部ＭＴＳ１と第２の導電性シート部ＭＴＳ２は二箇所で連結しているので、両者が分離し難くなり、組み立て工程での不良品発生が少なく、取り扱いが容易になる。
【実施例４】
【００４０】
図９は本発明の実施例４を説明する２パネル一体型ホルダと導電性シートＭＴＳを組み合わせて一体化した状態を第２の表示パネルの収容領域側から見た平面図である。本実施例は、第２の表示パネルの収容領域を画定する第２の堤状リブＲＢ２に設ける切欠きを対向する２辺のそれぞれの端部に形成したものである。言い換えれば、当該対向する２辺の終端を前記各実施例よりも短くしたことで切欠きとしたものである。第１の導電性シート部ＭＴＳ１と第２の導電性シート部ＭＴＳ２はこの２辺のそれぞれの端部を通るブリッジＢＧで接続されている。
【００４１】
本実施例によれば、図８の実施例と同様に、第１の導電性シート部ＭＴＳ１と第２の導電性シート部ＭＴＳ２は二箇所で連結しているので、両者が分離し難くなり、組み立て工程での不良品発生が少なく、取り扱いが容易になる。また、第２の堤状リブＲＢ２には、その途中に切欠きがないため、機械的な強度低下を抑制できる。なお、第２の堤状リブＲＢ２の対向する２辺の一方の端部のみを短くし、これを切欠きとすることもできる。
【実施例５】
【００４２】
図１０は本発明の実施例５を説明する２パネル一体型ホルダと導電性シートＭＴＳを組み合わせて一体化した状態の説明図であり、図１０（ａ）は第２の表示パネルの収容領域側から見た平面図、図１０（ｂ）は図１０（ａ）を脚部ＬＧ側から見た側面図である。図１０の実施例では、第２の堤状リブＲＢ２には切欠きを設けておらず、代わりに第２の堤状リブＲＢ２を露呈するために導電性シートＭＴＳに設ける欠如部ＤＩＴの端部の長さを若干長くしてブリッジＢＧを形成し、その脚部ＬＧ側を折り曲げて２パネル一体型ホルダの脚部ＬＧ側の側面を沿うように設置し、ブリッジＢＧが第１の導電性シート部ＭＴＳ１と第２の導電性シート部ＭＴＳ２を接続するようにした。
【００４３】
本実施例によれば、第１の導電性シート部ＭＴＳ１と第２の導電性シート部ＭＴＳ２は２パネル一体型ホルダの側面の二箇所で連結しているので、両者が分離し難くなり、組み立て工程での不良品発生が少なく、取り扱いが容易になる。また、第２の堤状リブＲＢ２には、その途中に切欠きがないため、機械的な強度低下を抑制できる。
【実施例６】
【００４４】
図１１は本発明の実施例６を説明する２パネル一体型ホルダと導電性シートＭＴＳを組み合わせて一体化した状態の説明図であり、図１１（ａ）は第２の表示パネルの収容領域側から見た平面図、図１１（ｂ）は図１１（ａ）を脚部ＬＧを形成した辺と隣接する辺側から見た側面図、図１１（ｃ）は図１１（ａ）を脚部ＬＧ側から見た側面図である。図１１の実施例では、第１の導電性シート部ＭＴＳ１と第２の導電性シート部ＭＴＳ２を接続するブリッジＢＧが第２の表示パネルの収容領域を画定する第２の堤状リブＲＢ２を乗り越えて設置されている。したがって、導電性シートＭＴＳを２パネル一体型ホルダに組み合わせる際に、ブリッジＢＧには若干の伸長は起こる。そのため、本実施例の導電性シートＭＴＳの材料としては引き延ばしに強い金属薄膜を用いる。また、ブリッジＢＧが乗り越える第２の堤状リブＲＢ２の部分の高さを導電性シートＭＴＳの厚み分低くしてもよい。なお、このブリッジＢＧを第２の堤状リブＲＢ２を構成する対向する２辺に位置するように設けてもよい。ブリッジＢＧを設ける位置及び数は、適宜変更が可能である。但し、第２の表示パネルＰＮＬ２を構成する基板の切断面近傍に配線が存在する場合は、接触を防止するためにブリッジＢＧをこの配線から離れた位置に設けることが好ましい。
【００４５】
本実施例によれば、第２の堤状リブＲＢ２に切欠きを設けないため、２パネル一体型ホルダの機械的な強度低下を抑制できる。
【実施例７】
【００４６】
図１２は本発明の実施例７を説明する２パネル一体型ホルダと導電性シートＭＴＳおよび導光板を展開して示す斜視図である。本実施例は、図８で説明した実施例の構成を基本として、第２の表示パネルの背面に設ける導光板が断面楔状である場合を示す。第２の表示パネルの背面（２パネル一体型ホルダ側）に断面楔状の導光板ＧＬＢ２を設置するような場合、当該２パネル一体型ホルダＭＬＤの第２の表示パネル収納面に導光板ＧＬＢ２の傾斜背面に合わせた傾斜を持たせる。このような傾斜を持たせた収納面に沿って導電性シートＭＴＳを設置する際、当該導電性シートＭＴＳの第２の導電性シート部ＭＴＳ２には変形力が及ぶことになり、ブリッジＢＧを破断させる場合がある。本実施例では、第２の導電性シート部ＭＴＳ２にスリットＳＬＴ（打ち抜きとも呼ばれる）を設けることで、上記の変形力を吸収し、ブリッジＢＧの破断を回避する。なお、スリットＳＬＴは第１の導電性シート部ＭＴＳ１側の切欠きＣＴ近傍に設けてもよい。
【００４７】
樹脂モールドＭＬＤの第２堤状リブＲＢ２が形成されている側の面（他方の面）は、第２堤状リブＲＢ２に囲まれた第２の表示パネルの収納領域である第２部分と、それ以外の第１部分とに分けられる。本発明は、樹脂モールドＭＬＤの他方の面において、第２部分が第１部分に対して傾いた傾斜面となっている場合に適用することができる。したがって、２パネル一体型ホルダＭＬＤの第１の表示パネル収納面に断面楔状の導光板ＧＬＢ１を設置する場合、あるいは第１の表示パネル収納面と第２の表示パネル収納面の両者に断面楔状の導光板ＧＬＢ１、ＧＬＢ２を設置する場合にも、同様の構成を採用すればよい。なお、スリット形状は図示したものに限らず、円形、楕円形、単なる切り込み等であってもよい。また、スリットＳＬＴは、図示したように端部まで到達しない形状であってもいいし、図示しないが端部まで到達する形状であってもよい。
【００４８】
尚、本発明は、傾斜面に適用する場合に限られず、第１部分と第２部分との間に段差がある場合にも適用できる。この場合、このスリット（打ち抜き）が段差による影響を吸収する。その場合、傾斜面であることは必須の条件ではない。また、断面楔形の導光板であることも必須の条件ではない。
【００４９】
図１３は本発明の２パネル一体型ホルダを用いた液晶表示装置の一例を説明する展開斜視図である。図では本発明の第１実施例の２パネル一体型ホルダおよび導電性シートを用いたものとし、主画面を構成する第１の表示パネルＰＮＬ１を下側に置き、第１の表示パネルＰＮＬ１よりも小サイズの副画面を構成する第２の表示パネルＰＮＬ２を上側に置いたものとして説明する。また、この例では、第１の表示パネルＰＮＬ１と第２の表示パネルＰＮＬ２は共に液晶表示パネルである。
【００５０】
図１３において、２パネル一体型ホルダＨＬＤの第１収納領域を画定する第１堤状リブＲＢ１の内側には、第１反射シートＲＦＳ１、第１導光板ＧＬＢ１、第１光学補償シートＯＰＳ１を順次積層し、その上に第１粘着テープＡＴＰ１で第１の表示パネルＰＮＬ１が収納される。また、第２収納領域を画定する第２堤状リブＲＢ２の内側には、導電性シートＭＴＳ、第２反射シートＲＦＳ２、第２導光板ＧＬＢ２、第２光学補償シートＯＰＳ２を順次積層し、その上に第２粘着テープＡＴＰ２で第２の表示パネルＰＮＬ２が収納される。
【００５１】
第１光学補償シートＯＰＳ１、第２光学補償シートＯＰＳ２は共に、光拡散シートとプリズムシートのそれぞれを各一枚または複数枚重ねて構成される。また、第１導光板ＧＬＢ１、第２導光板ＧＬＢ２には光源としての発光ダイオードを収納する凹部ＬＥＤＡが形成されている。尚、これ以外にも第１の表示パネルＰＮＬ１と第２の表示パネルＰＮＬ２との間を接続するフレキシブル回路基板が設けられる場合もあるが、図示は省略した。駆動に用いるドライバについても、各表示パネルにそれぞれ設けても良いし、２つの表示パネルを共通に駆動するドライバとしても良い。
【００５２】
以上説明した本発明の表示装置は液晶表示装置に限るものではなく、有機ＥＬ表示装置やＦＥＤ表示装置等の他の表示パネルを用いたものにも適用できる。尚、本明細書において、２パネル一体型ホルダという語は、３つ以上の表示パネルを一体に保持するものも含むものとする。この場合も、少なくとも２つの表示パネルを一体に保持しており、本発明を適用できるからである。また、これまでに説明した各実施例は、互いに矛盾しない限り２つ以上を組み合わせても良い。
【図面の簡単な説明】
【００５３】
【図１】携帯電話機で広く採用されている２パネル一体型ホルダの構成例の説明図である。
【図２】２パネル一体型ホルダの一例の説明図である。
【図３】２パネル一体型ホルダを樹脂モールドで製作した例を説明するための携帯電話機の構造説明図である。
【図４】本発明の実施例１を説明する携帯電話機の構造図である。
【図５】図４における２パネル一体型ホルダと導電性シートの構造例を説明する斜視図である。
【図６】図５に示した２パネル一体型ホルダと導電性シートＭＴＳを組み合わせて一体化した状態の説明図である。
【図７】本発明の実施例２を説明する図６と同様の２パネル一体型ホルダと導電性シートＭＴＳを組み合わせて一体化した状態の説明図である。
【図８】本発明の実施例３を説明する２パネル一体型ホルダと導電性シートＭＴＳを組み合わせて一体化した状態の説明図である。
【図９】本発明の実施例４を説明する２パネル一体型ホルダと導電性シートＭＴＳを組み合わせて一体化した状態を第２の表示パネルの収容領域側から見た平面図である。
【図１０】本発明の実施例５を説明する２パネル一体型ホルダと導電性シートＭＴＳを組み合わせて一体化した状態の説明図である。
【図１１】本発明の実施例６を説明する２パネル一体型ホルダと導電性シートＭＴＳを組み合わせて一体化した状態の説明図である。
【図１２】本発明の実施例７を説明する２パネル一体型ホルダと導電性シートＭＴＳおよび導光板を展開して示す斜視図である。
【図１３】本発明の２パネル一体型ホルダを用いた液晶表示装置の一例を説明する展開斜視図である。
【符号の説明】
【００５４】
ＨＬＤ・・・２パネル一体型ホルダ、ＲＢ１・・・第１堤状リブ、ＲＢ２・・・第２堤状リブ、ＬＧ・・・脚部、ＨＬ・・・ねじ孔、ＣＴ・・・切欠き、ＭＴＳ・・・導電性シート、ＤＩＴ・・・欠如部、ＭＴＳ１・・・第１の導電性シート部、ＭＴＳ２・・・第２の導電性シート部、ＢＧ・・・連結部（ブリッジ）。
【図１】
2005099563.tif 000003
【図２】
2005099563.tif 000004
【図３】
2005099563.tif 000005
【図４】
2005099563.tif 000006
【図５】
2005099563.tif 000007
【図６】
2005099563.tif 000008
【図７】
2005099563.tif 000009
【図８】
2005099563.tif 000010
【図９】
2005099563.tif 000011
【図１０】
2005099563.tif 000012
【図１１】
2005099563.tif 000013
【図１２】
2005099563.tif 000014
【図１３】
2005099563.tif 000015